(57)【特許請求の範囲】
【請求項１】
ポンプとこれを回転させるモータとを備えた水中ポンプ本体と、水中ポンプ本体の内部に設けられてモータへの電流値を検出する電流検出器と、水中ポンプ本体の内部に設けられて電流検出器からの電流値に基づいてモータを制御する制御器とから構成した水中ポンプにおいて、前記制御器を、起動時にはモータを所定時間だけ強制運転させると共に、運転中に電流検出器からの電流値が所定値より小さくなった時にはモータを停止させ、前回の運転時間に逆比例した所定の停止時間の経過後にモータを再起動させる構成とした事を特徴とする水中ポンプ。
【発明の詳細な説明】
【０００１】
【発明の属する技術分野】
本発明は、例えば土木建設工事等に用いられて渇水運転防止機能を備えた水中ポンプの改良に関する。
【０００２】
【従来の技術】
従来、この種の水中ポンプとしては、例えば特開平７−２４１５８１号、特開平７−２４１５８２号、特開平１１−３２４９７４号、特開２００１−４１１８９号等に記載されたものが知られている。
当該水中ポンプは、基本的には、ポンプとこれを回転させるモータとを備えた水中ポンプ本体と、水中ポンプ本体の外部に設けられて水位を検出する水位検出器と、水中ポンプ本体の内部に設けられて水位検出器からの水位に基づいてモータを制御する制御器と、から構成されている。水位検出器としては、フロート式や電極棒式や光センサ式が用いられている。
【０００３】
而して、この様なものは、水位検出器と制御器とに依り所謂渇水運転防止装置を為して渇水状態でのモータの運転が防止されるので、騒音の発生、電力の浪費、インペラ等の部品の異常摩耗、モータ寿命の低下等の悪影響を解消する事ができる。
【０００４】
【発明が解決しようとする課題】
ところが、この様なものは、水位検知器を用いると共に、これを水中ポンプ本体の外部に設けていたので、これが邪魔になって取り扱いが煩雑化したり衝突に依り破損する惧れがあると共に、異物や液質や波等に依って誤動作し易かった。
本発明は、叙上の問題点に鑑み、これを解消する為に創案されたもので、その課題とする処は、取り扱いが簡単で破損の惧れがないと共に、誤動作の心配もない様にした水中ポンプを提供するにある。
【０００５】
【課題を解決するための手段】
本発明の水中ポンプは、基本的には、ポンプとこれを回転させるモータとを備えた水中ポンプ本体と、水中ポンプ本体の内部に設けられてモータへの電流値を検出する電流検出器と、水中ポンプ本体の内部に設けられて電流検出器からの電流値に基づいてモータを制御する制御器とから構成した水中ポンプにおいて、前記制御器を、起動時にはモータを所定時間だけ強制運転させると共に、運転中に電流検出器からの電流値が所定値より小さくなった時にはモータを停止させ、前回の運転時間に逆比例した所定の停止時間の経過後にモータを再起動させる構成とした事に特徴が存する。
【０００６】
水中ポンプ本体のモータが駆動されると、ポンプが回転されて水が排水される。モータは、負荷が大きくなるに連れて電流値も大きくなるという特性があるので、渇水状態（空運転付近）に於ける水中ポンプの運転電流が通常運転電流に比べて低くなる。これを利用して、運転電流を監視する事で電流の低下を検知し、その時を渇水状態と判断して水中ポンプを停止させる。
電流検出器と制御器とを水中ポンプ本体の内部に設け、所謂内蔵型にしたので、取り扱いが簡単で破損の惧れがないと共に、誤動作の心配がない。
【０００７】
制御器は、起動時にはモータを所定時間だけ強制運転させると共に、運転中の電流検出器からの電流値が所定値より小さくなった時にはモータを停止させ、前回の運転時間に逆比例した所定の停止時間の経過後にモータを再起動させるようにする。この様にすれば、渇水運転を防止しながら水位に応じた自動運転を行なう事ができる。
【０００８】
【発明の実施の形態】
以下、本発明の実施の形態を、図面に基づいて説明する。
図１は、本発明の水中ポンプを示す縦断面図。図２は、水中ポンプの要部を示すブロック図。図３は、水中ポンプの動作を示すフロー図である。
【０００９】
水中ポンプ１は、水中ポンプ本体２、電流検出器３、制御器４とからその主要部が構成されている。
【００１０】
水中ポンプ本体２は、ポンプ５とこれを回転させるモータ６とを備えたもので、この例では、ストレーナ７、ケーシング８、インペラ９、軸封装置（メカニカルシール）１０、ホースカップリング１１、モータ６、モータ保護装置（自動復帰形オートカット）１２、キャブタイヤケーブル１３等を備えている。
ケーシング８とインペラ９は、ポンプ５を為している。モータ６は、三相誘導電動機にしてある。
【００１１】
電流検出器３は、水中ポンプ本体２の内部に設けられてモータ６への電流値を検出するもので、この例では、電源１４からモータ６への電流値を検出する電流値検出回路１５にしてある。
【００１２】
制御器４は、水中ポンプ本体２の内部に設けられて電流検出器３からの電流値に基づいてモータ６を制御するもので、この例では、電源１４からの電流を整流する整流回路１６と、電源１４からモータ６への電流を開閉する開閉回路１７と、開閉回路１７を駆動する出力ドライバ１８と、増幅度を設定する増幅度設定回路１９と、再起動時間（停止時間）を設定する再起動時間設定回路２０と、電流検出器３である電流値検出回路１５からの電流値に依り、増幅度設定回路１９からの増幅度と再起動時間設定回路２０からの再起動時間に基づいて出力ドライバ１８を制御する中央制御装置２１とを備えている。
【００１３】
而して、制御器４は、とりわけ再起動時間設定回路２０に依り起動時にはモータ６を所定時間だけ強制運転させると共に、運転中に電流検出器３からの電流値が所定値より小さくなった時にはモータ６を停止させ、前回の運転時間に逆比例した所定の停止時間の経過後にはモータ６を再起動させるものにしてある。
【００１４】
電流検出器３と制御器４は、所謂渇水運転防止装置２２を為して居り、図２に示す如く、ユニット化されていると共に、図１に示す如く、モータ６より上方の水中ポンプ本体２の内部に収納され、所謂内蔵型にしてある。
【００１５】
次に、この様な構成に基づいてその作用を述解する。
モータ６が駆動されると、ポンプ５が回転されて水が排水される。
モータ６は、負荷が大きくなるに連れて電流値も大きくなるので、空運転付近の渇水状態での電流値が通常運転の電流値に比べて小さくなる。従って、電流検出器３に依りモータ６への電流値を監視して置き、この電流値が所定値より低下した時には、制御器４の中央制御装置２１が渇水状態と判断して出力ドライバ１８及び開閉回路１７を介してモータ６を停止させる。そして、次の運転までの停止時間（再起動時間）は、設置箇所の増水の変動に対応する為に、前回の運転時間から計算される。モータ６の起動時には、定格電流に対して約６倍程度の起動電流が流れて誤動作を招く惧れがあるので、毎回の起動時には、所定時間だけ強制運転される。
【００１６】
具体的には、水中ポンプ１は、図３のフロー図に示す如く、作動される。
[動作１]  電源投入後の初回の起動時には、約３０秒間だけ強制運転される。この時は、渇水状態でも停止されない。
[動作２]  運転中は、渇水状態になると、モータ６が停止される。
[動作３]  所定の停止時間（再起動時間、待機時間）だけ停止されると、モータ６が再起動される（電源投入後の２回目以降の起動時には、約５秒間だけ強制運転される）。停止時間の初期設定Tst0は、２０秒にされている。２回目以降の停止時間Tst１〜Tst５は、直前の運転時間Tmtに逆比例し、直前の運転時間Tmtが２分以下の場合には、停止時間Tst４＝前回の停止時間Tst＋２０秒（但し、前回の停止時間Tstが２８０秒以上の時は、停止時間Tst５＝300秒）に、また、直前の運転時間Tmtが２〜４分の場合には、停止時間Tst３＝前回の停止時間Tstに、更に、直前の運転時間Tmtが４分以上の場合には、停止時間Tst２＝前回の停止時間Tst−２０秒（但し、前回の停止時間Tstが20秒以下の時は、停止時間Tst１＝０秒）となり、所謂２０秒ステップで０〜３００秒の１６種類の停止時間が存在する。尚、所定の停止時間Tst1〜Tst5が経過すると、約５秒間の強制運転を経て、図３に示した上記動作３の通常運転へ戻る。
[動作４]  電源を切り、約２秒以上後に再起動させると、前記動作１から繰り返される
【００１７】
つまり、水中ポンプ１は、水位の満水時には運転され、水位の渇水時には停止され、水位の増水中には待機（停止）され、水位の満水時には再起動（運転）され、という様に水位の変動に応じて運転と停止が繰り返されて自動運転される様になっている。
【００１８】
電流検出器３と制御器４とから成る所謂渇水運転防止装置２２を水中ポンプ本体２の内部に設けたので、取り扱いが簡単になり、破損の惧れがなく、誤動作の心配もない。
制御器４に依り直前の運転時間を考慮してこれと逆比例する様に停止時間を決定したので、余分な起動が軽減されて電力の浪費がなくなる。
水位検出器ではなく電流検出器３を用いたので、水中ポンプ１が転倒した場合でも、ケーシング８内の水が無くなれぱ電流値が下がって渇水運転が検知されて停止される。
【００１９】
尚、制御器４は、先の例では、２０秒ステップで０〜３００秒の１６種類の停止時間が存在する様にしたが、これに限らず、適宜変更可能である。
【００２０】
【発明の効果】
以上、既述した如く、本発明に依れば、次の様な優れた効果を奏する事ができる。
（１）  水中ポンプ本体、電流検出器、制御器とで構成し、とりわけモータへの電流値を検出する電流検出器とこれからの電流値に基づいてモータを制御する制御器とで渇水運転防止装置を形成し、これを水中ポンプ本体の内部に設けたので、取り扱いが簡単で破損の惧れがないと共に、誤動作の心配がない。
【図面の簡単な説明】
【図１】  本発明の水中ポンプを示す縦断面図。
【図２】  水中ポンプの要部を示すブロック図。
【図３】  水中ポンプの動作を示すフロー図。
【符号の説明】
１…水中ポンプ、２…水中ポンプ本体、３…電流検出器、４…制御器、５…ポンプ、６…モータ、７…ストレーナ、８…ケーシング、９…インペラ、１０…軸封装置、１１…ホースカップリング、１２…モータ保護装置、１３…キャブタイヤケーブル、１４…電源、１５…電流値検出回路、１６…整流回路、１７…開閉回路、１８…出力ドライバ、１９…増幅度設定回路、２０…再起動時間設定回路、２１…中央制御装置、２２…渇水運転防止装置。
【図１】
0004789333.tif 000002
【図２】
0004789333.tif 000003
【図３】
0004789333.tif 000004